(57)【特許請求の範囲】
【請求項１】
画像を表示するためのディスプレーユニットと、
ランプユニットからの光を、前記デイスプレーユニットにガイドし、前記ランプユニットからの光が入射される側の端部の少なくとも一つの角を部分切除して該部分切除した部分と側壁とを含んで形成されるキャッチングジョーと、
前記キャッチングジョーの側壁から外側に突出されるように延びて前記キャッチングジョーより薄い厚さを有するように形成されるプロジェクションとを有する導光板と、
前記ランプユニット及び前記導光板を収納するモールドフレームとを有し、
前記モールドフレームの収納空間の一方側には、ランプ及びランプカバーが収納されて、前記ランプが定置された側壁の両角部には、キャッチング突起が形成されており、前記導光板の前記キャッチングジョーと各々かみ合って、前記導光板の水平方向の移動を防止し、
前記導光板に形成された前記プロジェクションと向き合う前記モールドフレームの側壁には、前記プロジェクションを収納する収納溝が形成されている
ことを特徴とする液晶表示モジュール。
【請求項２】
前記モールドフレームの収納空間の前記ランプカバーが収納される側と対向する側の両角部の少なくともどちらか一つにキャッチングカバーが形成され、
前記キャッチングカバーは前記両角部を頂点とする直角三角形の板状に形成され、前記導光板が垂直方向に離脱するのを防止する
ことを特徴とする請求項１に記載の液晶表示モジュール。
【請求項３】
前記プロジェクションは、前記導光板の中央部に向かうほど幅が狭くなるようにスロープ形態で形成されることを特徴とする請求項１に記載の液晶表示モジュール。
【請求項４】
前記導光板は、一端部から対向する端部に向かうほど厚さが薄くなるくさび形導光板であることを特徴とする請求項１に記載の液晶表示モジュール。
【請求項５】
前記モールドフレームの側壁に形成された前記収納溝は、前記プロジェクションの厚さより大きく、前記キャッチングジョーの厚さより小さい高さを有することを特徴とする請求項１に記載の液晶表示モジュール。
【請求項６】
前記キャッチングジョーで、前記キャッチング突起とかみ合う部分は、前記プロジェクションと同じ厚さを有することを特徴とする請求項１に記載の液晶表示モジュール。
【請求項７】
画像を表示するためのディスプレーユニットと、
ランプユニットからの光を、前記デイスプレーユニットにガイドし、前記ランプユニットからの光が入射される側の端部の少なくとも一つの角を部分切除して該部分切除した部分と側壁とを含んで形成されるキャッチングジョーと、
前記キャッチングジョーの側壁から外側に突出されるように延びて前記キャッチングジョーより薄い厚さを有するように形成されるプロジェクションとを有する導光板を具備するバックライトアセンブリと、
前記ランプユニット及び前記導光板を収納するモールドフレームとを有し、
前記モールドフレームの収納空間の一方側には、ランプ及びランプカバーが収納されて、前記ランプが定置された側壁の両角部には、キャッチング突起が形成されており、前記導光板の前記キャッチングジョーと各々かみ合って、前記導光板の水平方向の移動を防止し、
前記導光板に形成された前記プロジェクションと向き合う前記モールドフレームの側壁には、前記プロジェクションを収納する前記収納溝が形成されており、
前記デイスプレーユニットの位置を規制し、前記モールドフレームと対向結合して前記デイスプレーユニット及びバックライトアセンブリを前記モールドフレームに固定するためのトップシャーシとを含むことを特徴とする液晶表示装置。
【請求項８】
前記プロジェクションは、前記導光板の中央部に向かうほど幅が狭くなるようにスロープ形態で形成されることを特徴とする請求項７に記載の液晶表示装置。
【請求項９】
前記導光板は、一端部から対向する端部に向かうほど厚さが薄くなるくさび形状導光板であることを特徴とする請求項７に記載の液晶表示装置。
【請求項１０】
前記モールドフレームの側壁に形成された前記収納溝は、前記プロジェクションの厚さより大きく、前記キャッチングジョーの厚さより小さい高さを有することを特徴とする請求項７に記載の液晶表示装置。
【請求項１１】
前記キャッチングジョーで、前記キャッチング突起とかみ合う部分は、前記プロジェクションと同じ厚さを有することを特徴とする請求項７に記載の液晶表示装置。
【請求項１２】
前記モールドフレーム収納空間のランプカバーが収納される側と対向する側の両角部の少なくともどちらか一つにキャッチングカバーが形成され、
前記キャッチングカバーは前記両角部を頂点とする直角三角形の板状に形成され、前記導光板が垂直方向に離脱するのを防止する
ことを特徴とする請求項７に記載の液晶表示装置。
【発明の詳細な説明】
【０００１】
【発明の属する技術分野】
本発明は液晶表示装置に関するものであり、より詳細には、液晶表示装置の導光板及びモールドフレームの構造を改善してモールドフレームに収納された導光板の移動を最小化することができる液晶表示モジュール及び液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度化などの機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００５】
液晶表示装置は大きくＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分かれ、駆動方式の差異でスイッチング素子及びＴＮ液晶を利用したアクティブマトリックス（Ａｃｔｉｖｅ  ｍａｔｒｉｘ）表示方式とＳＴＮ液晶を利用したパッシブマトリックス（Ｐａｓｓｉｖｅ  ｍａｔｒｉｘ）表示方式がある。
【０００６】
この二つ方式の大きな差異は、アクティブマトリックス表示方式は
ＴＦＴ（薄膜トランジスター）をスイッチとして利用して液晶表示装置を駆動するＴＦＴ−ＬＣＤに使用される表示方式であるのに対し、パッシブマトリックス表示方式はトランジスターを使用しないのでこれと関連した複雑な回路を必要としない表示方式であるという点である。
【０００７】
また、液晶表示装置は、光源の利用方法に従って、バックライトを利用する透過型液晶表示装置及び外部の光源を利用する反射型液晶表示装置の二種類に分類することができる。
【０００８】
バックライトを光源に使用する透過型液晶表示素子ではバックライトにより液晶表示素子の重量と体積とが増加するが、外部の光源を利用しない独立のディスプレー機能を有するので広く使用されている。
【０００９】
図１は従来の液晶表示装置を概略的に示した分解斜視図である。図２は図１に図示された導光板とモールドフレームの構造をより具体的に示した部分分解斜視図である。
【００１０】
図１を参照すれば、液晶表示装置９００は、画像信号が印加されることにより、画面を表示するための液晶表示モジュール７００と液晶表示モジュール７００を収納するための前面ケース８１０及び背面ケース８２０とで構成されている。
【００１１】
液晶表示モジュール７００は画面を提供する液晶表示パネルを含むディスプレーユニット７１０を含む。
【００１２】
ディスプレーユニット７１０は、液晶表示パネル７１２、統合印刷回路基板７１４、データ側テープキャリアパッケージ７１６及びＣＯＦ方式により製造されたゲート側可撓性回路基板７１８を含む。
【００１３】
液晶表示パネル７１２は、薄膜トランジスター基板７１２ａ、カラーフィルタ基板７１２ｂ及び液晶（図示せず）を含む。
【００１４】
薄膜トランジスター基板７１２ａはマトリックス状の薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）より成る画素電極を用いて形成される。
【００１５】
データライン及びゲートラインに電気信号を入力すると、各々の薄膜トランジスターソース端子とゲート端子に電気信号が入力され、この電気信号の入力に従って薄膜トランジスターはターンオンまたはターンオフされてドレーン端子において画素形成に必要な電気信号が出力される。
【００１６】
前記薄膜トランジスター基板７１２ａに対向してカラーフィルタ基板７１２ｂが具備されている。カラーフィルタ基板７１２ｂは光が通過すると所定の色が発現される色画素であるＲＧＢ画素が薄膜工程により形成された基板である。カラーフィルタ基板７１２ｂの前面にはＩＴＯから成る共通電極が塗布されている。
【００１７】
前述した薄膜トランジスター基板７１２ａのトランジスターのゲート端子及びソース端子には電圧が印加されて薄膜トランジスターがターンオンされると、画素電極とカラーフィルタ基板１７３の共通電極との間には電界が形成される。このような電界により薄膜トランジスター基板７１２ａとカラーフィルタ基板７１２ｂの間に注入された液晶の配列角が変化し、変化した配列角に従って光透過率が変更されて所望の画素を得ることになる。
【００１８】
一方、前記液晶表示パネル７１２の液晶の配列角と液晶が配列される時期を制御するために、薄膜トランジスターのゲートライン及びデータラインに駆動信号及びタイミング信号が印加される。図示したように、液晶表示パネル７１２のソース側にはデータ駆動信号の印加時期を決定する可撓性回路基板の一種であるデータ側テープキャリアパッケージ７１６が設けられており、ゲート側にはゲート駆動信号の印加時期を決定するためのＣＯＦ方式で製造されたゲート側可撓性回路基板７１８が設けられている。
【００１９】
液晶表示パネル７１２の外部から映像信号の入力を受けてゲートラインとデータラインに駆動信号を印加するための統合印刷回路基板７１４は液晶表示パネル７１２のデータライン側のデータ側テープキャリアパッケージ７１４に接続される。統合印刷回路基板７１４はコンピュータなどのような外部の情報処理装置（図示せず）から発生した映像信号が印加されて前記液晶表示パネル７１２にデータ駆動信号を提供するためのソース部と前記液晶表示パネル７１２のゲートラインにゲート駆動信号を提供するためのゲート部が形成されている。すなわち、統合印刷回路基板７１４は液晶表示装置を駆動するための信号であるゲート駆動信号、データ信号及びこれの信号を適切な時期に印加するための複数のタイミング信号を発生させ、ゲート駆動信号はゲート側可撓性回路基板７１８を通じて液晶表示パネル７１２のゲートラインに印加され、データ信号はデータ側テープキャリアパッケージ７１６を通じて液晶表示パネル７１２のデータラインに印加される。
【００２０】
前記ディスプレーユニット７１０の下には前記ディスプレーユニット７１０に均一な光を提供するためのバックライトアセンブリ７２０が具備されている。バックライトアセンブリ７２０は液晶表示モジュール７００の一側に具備されて光を発生させるためのランプ７２１を含む。ランプ７２１はランプカバー７２２により保護される。導光板７２４は前記ディスプレーユニット７１０の液晶パネル７１２に対応する大きさを有し、液晶パネル７１２の下に位置してランプ７２１側は厚くてランプ７２１から遠ざかるほど薄くなるよう形成されてランプ７２１で発生された光をディスプレーユニット７１０側に案内するよう光の経路を変更する。
【００２１】
前記導光板７２４の上には導光板７２４から射出されて液晶表示パネル７１２に向かう光の輝度を均一にするための複数個の光学シート７２６が具備されている。かつ、導光板７２４の下には導光板７２４から漏洩される光を導光板７２４に反射させて光の効率を高めるための反射板７２８が具備されている。
【００２２】
前記ディスプレーユニット７１０及びバックライトアセンブリ７２０は収納容器であるモールドフレーム７３０により固定支持される。モールドフレーム７３０は直六面体のボックス状を有し、上面は開口されている。すなわち、４個の側壁と基底面により構成され、底面には統合印刷回路基板７１４をモールドフレーム７３０の外側面に沿って折曲させて安着させるための開口部が形成されている。
【００２３】
前記ディスプレーユニット７１０の統合印刷回路基板７１４とゲート側テープキャリアパッケージ７１８を前記モールドフレーム７３０の外部で折曲させながら、前記モールドフレーム７３０の底面部に持ち来たらした状態を維持しながらディスプレーユニットが離脱されることを防止するためのシャーシ７４０が提供される。前記シャーシ７４０はモールドフレーム７３０のように直六面体の形状を有し、上面部は液晶表示パネル７１０を露出させるために開口されており、側壁部は内側垂直方向に折曲られ前記液晶表示パネル７１０の上面の周辺部をカバーする。
【００２４】
一方、図２を参照すれば、前記モールドフレーム７３０の収納空間で前記ランプ７２１が設けられる方の側壁の角部には、前記モールドフレーム７３０と一体で形成された第１及び第２キャッチング突起７３１、７３２が形成される。前記モールドフレーム７３０に収納される前記導光板７２４の前記ランプ７２１側に位置する端部の角は所定部分切除され第１及び第２キャッチングジョー７２４ａ、７２４ｂが形成される。
【００２５】
図３は図２に図示された導光板をモールドフレームに収納した状態を示した図面である。図４は図３に図示された導光板とモールドフレームの水平方法の固定構造を示した部分拡大図である。図５は図３に図示された導光板の大きさを示した平面図である。
【００２６】
図３を参照すれば、前記モールドフレーム７３０に前記導光板７２４が収納されると、前記第１及び第２キャッチングジョー７２４ａ、７２４ｂは各々前記第１及び第２キャッチング突起７３１、７３２とかみ合う。従って、前記液晶表示装置９００が外部衝撃を受けても前記第１及び第２キャッチング突起７３１、７３２により前記導光板７２４が前記ランプ７２１側に移動することが防止できる。
【００２７】
しかし、近来、液晶表示装置９００の大きさを縮小するために前記モールドフレーム７３０の側壁厚さが段々減少される趨勢であり、また図５に図示されたように前記導光板７２４の幅は前記ランプ７２１側端部とその対向する端部が同一である。従って、前記モールドフレーム７３０と一体で形成される前記第１及び第２キャッチング突起７３１、７３２の厚さを十分に確保することが容易でない。これにより、図４に図示されたように、前記導光板７２４の第１及び第２キャッチングジョー７２４ａ、７２４ｂと前記モールドフレーム７３０の第１及び第２キャッチング突起７３１、７３２とのキャッチング量（即ち係止量）が十分に確保されなくて、前記導光板７２４の前記ランプ７２１に向かう移動を防止し難しい。
【００２８】
一方、前記キャッチング量を確保するために前記導光板７２４とモールドフレーム７３０との間のギャップに該当する量程度前記導光板７２４の幅を増大させると、前記第１及び第２キャッチングジョー７２４ａ、７２４ｂと第１及び第２キャッチング突起７３１、７３２とのキャッチング量は確保できる。しかし、前記導光板７２４とモールドフレーム７３０との間のギャップが殆どないと、温度や湿度の変化による前記導光板７２４の膨張空間を確保できないために、前記導光板７２４の皺現象が激しくなる。特に、図１に図示されたようなくさび形状導光板７２４の場合、前記導光板７２４の厚さが薄い部分では温度変化による膨張率が大きいために、前記導光板７２４とモールドフレーム７３０との間の十分なギャップが要求される。
【００２９】
一方、図面には図示されなかったが、前記導光板７２４の両側面の所定部分を突出させ突起を形成し、前記モールドフレーム７３０の両側面で前記突起に対応される位置に溝を形成して、前記導光板７２４の移動を防止することもできる。しかし、この場合も同様に、前記突起と溝のキャッチング量を確保することが容易でないだけでなく、前記突起と溝による折れ部分で、前記ランプ７２１から入射された光が溜まる光溜まり現象が発生する。
【００３０】
【発明が解決しようとする課題】
上述した問題点を解決するための本発明は、モールドフレームに収納された導光板の移動を最小化することができる液晶表示モジュールを提供するものである。
【００３１】
本発明の他の目的は、モールドフレームに収納された導光板の損傷を最小化することができる液晶表示装置を提供するものである。
【００３２】
【課題を解決するための手段】
上記目的を達成するためになされた本発明による液晶表示モジュールは、画像を表示するためのディスプレーユニットと、ランプユニットからの光を、前記デイスプレーユニットにガイドし、前記ランプユニットからの光が入射される側の端部の少なくとも一つの角を部分切除して該部分切除した部分と側壁とを含んで形成されるキャッチングジョーと、前記キャッチングジョーの側壁から外側に突出されるように延びて前記キャッチングジョーより薄い厚さを有するように形成されるプロジェクションとを有する導光板と、前記ランプユニット及び前記導光板を収納するモールドフレームとを有し、前記モールドフレームの収納空間の一方側には、ランプ及びランプカバーが収納されて、前記ランプが定置された側壁の両角部には、キャッチング突起が形成されており、前記導光板の前記キャッチングジョーと各々かみ合って、前記導光板の水平方向の移動を防止し、前記導光板に形成された前記プロジェクションと向き合う前記モールドフレームの側壁には、前記プロジェクションを収納する収納溝が形成されていることを特徴とする。
前記モールドフレームの収納空間の前記ランプカバーが収納される側と対向する側の両角部の少なくともどちらか一つにキャッチングカバーが形成され、前記キャッチングカバーは前記両角部を頂点とする直角三角形の板状に形成され、前記導光板が垂直方向に離脱するのを防止することを特徴とする。
【００３３】
本発明による液晶表示装置は、画像を表示するためのディスプレーユニットと、ランプユニットからの光を、前記デイスプレーユニットにガイドし、前記ランプユニットからの光が入射される側の端部の少なくとも一つの角を部分切除して該部分切除した部分と側壁とを含んで形成されるキャッチングジョーと、前記キャッチングジョーの側壁から外側に突出されるように延びて前記キャッチングジョーより薄い厚さを有するように形成されるプロジェクションとを有する導光板を具備するバックライトアセンブリと、前記ランプユニット及び前記導光板を収納するモールドフレームとを有し、前記モールドフレームの収納空間の一方側には、ランプ及びランプカバーが収納されて、前記ランプが定置された側壁の両角部には、キャッチング突起が形成されており、前記導光板の前記キャッチングジョーと各々かみ合って、前記導光板の水平方向の移動を防止し、前記導光板に形成された前記プロジェクションと向き合う前記モールドフレームの側壁には、前記プロジェクションを収納する前記収納溝が形成されており、前記デイスプレーユニットの位置を規制し、前記モールドフレームと対向結合して前記デイスプレーユニット及びバックライトアセンブリを前記モールドフレームに固定するためのトップシャーシとを含むことを特徴とする。
【００３４】
このとき、前記プロジェクションは、前記導光板の中央部に向かうほど幅が狭くなるようにスロープ形態で形成され、前記導光板は、一端部から対向する端部に向かうほど厚さが薄くなるくさび形導光板であり、前記キャッチングジョーで、前記キャッチング突起とかみ合う部分は、前記プロジェクションと同じ厚さを有し、前記モールドフレームの側壁に形成された前記収納溝は、前記プロジェクションの厚さより大きく、前記キャッチングジョーの厚さより小さい高さを有する。
【００３５】
このような液晶表示モジュール及び装置によると、前記モールドフレームのキャッチング突起と前記導光板のキャッチングジョーとが確実に係合し、前記液晶表示装置外部衝撃が加えられても前記導光板が前記ランプ側に移動されることを防止することができる。
【００３６】
また、前記外部衝撃が前記モールドフレームの側方向で加えられても前記プロジェクションが前記収納溝に収納されるために、前記プロジェクションやキャッチングジョーなどが損傷されることを防止することができる。また、前記突出部がスロープ形態で形成されるために前記ランプから入射される光の光溜まり現象が発生されない。
【００３７】
【発明の実施の形態】
以下、図面を参照して本発明の望ましい実施形態をより詳細に説明する。
【００３８】
〈実施形態１〉
図６は本発明の第１実施形態による液晶表示装置を示した分解斜視図である。
【００３９】
図６を参照すれば、液晶表示装置１００は、画像信号が印加され画面を表示するための液晶表示モジュール２００と、液晶表示モジュール２００を収納するための前面ケース３１０及び背面ケース３２０で構成されたケース３００とを含む。
【００４０】
液晶表示モジュール２００は画面を表示する液晶表示パネル２１２を含むディスプレーユニット２１０を含む。
【００４１】
ディスプレーユニット２１０は液晶表示パネル２１２、統合印刷回路基板２１４、データ側テープキャリアパッケージ２１６及びＣＯＦ方式により製造されたゲート側可撓性回路基板２１８を含む。
【００４２】
液晶表示パネル２１２は薄膜トランジスター基板２１２ａ、カラーフィルタ基板２１２ｂ及び液晶（図示せず）を含む。
【００４３】
薄膜トランジスター基板２１２ａはマトリックス状に薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）で構成される画素電極によって形成される。
【００４４】
データライン及びゲートラインに電気信号を入力すると、各々の薄膜トランジスターのソース端子とゲート端子に電気信号が入力され、この電気的な信号の入力に従って薄膜トランジスターはターンオンまたはターンオフされて、ドレーン端子を介して画素形成に必要な電気信号が出力される。
【００４５】
前記薄膜トランジスター基板２１２ａに対向してカラーフィルタ基板２１２ｂが具備されている。カラーフィルタ基板２１２ｂは光が通過する際所定の色が発現される色画素であるＲＧＢ画素が薄膜工程により形成された基板である。カラーフィルタ基板２１２ｂの前面にはＩＴＯから成った共通電極が塗布されている。
【００４６】
前述した薄膜トランジスター基板２１２ａのトランジスターのゲート端子及びソース端子には電圧が印加されて薄膜トランジスターがターンオンされると、画素電極とカラーフィルタ基板７１２ｂの共通電極との間には電界が形成される。このような電界により薄膜トランジスター基板２１２ａとカラーフィルタ基板２１４ｂの間に注入された液晶の配列角が変化し、変化した配列角に従って光透過率が変更されて所望の画素を得ることになる。
【００４７】
前記液晶表示パネル２１２の液晶の配列角と液晶が配列される時期とを制御するために、薄膜トランジスターのゲートラインとデータラインとに駆動信号及びタイミング信号を印加する。
【００４８】
図示したように、液晶表示パネル２１２のソース側にはデータ駆動信号の印加時期を決定する可撓性回路基板の一種であるデータ側テープキャリアパッケージ２１６が設けられており、ゲート側にはゲート駆動信号の印加時期を決定するためのＣＯＦ方式に製造されたゲート側可撓性回路基板２１８が設けられている。
【００４９】
液晶表示パネル２１２の外部から映像信号の入力を受けて、ゲートラインとデータラインとに駆動信号を印加するための統合印刷回路基板２１４は、液晶表示パネル２１２のデータライン側のデータ側テープキャリアパッケージ２１６に接続される。統合印刷回路基板２１４は、コンピュータなどの外部の情報処理装置（図示せず）から発生した映像信号が印加されて前記液晶表示パネル２１２にデータ駆動信号を提供するためのソース部と前記液晶表示パネル２１２のゲートラインにゲート駆動信号を提供するためのゲート部が形成されている。
【００５０】
すなわち、統合印刷回路基板２１４は液晶表示装置を駆動するための信号であるゲート駆動信号、データ信号及びこれらの信号を適切な時期に印加するための複数のタイミング信号を発生し、ゲート駆動信号はゲート側可撓性回路基板２１８を通じて液晶表示パネル２１２のゲートラインに印加され、データ信号はデータ側テープキャリアパッケージ２１６を通じて液晶表示パネル２１２のデータラインに印加される。
【００５１】
前記ディスプレーユニット２１０の下には、前記ディスプレーユニット２１０に均一な光を提供するためのバックライトアセンブリ２２０が具備されている。バックライトアセンブリ２２０は液晶表示モジュール２００の一方の側に具備されて光を発生させるためのランプ２２１を含み、前記ランプ２２１はランプカバー（２２２）により保護される。導光板２２４は前記ディスプレーユニット２１０の液晶パネル２１２に対応する大きさを有し、ランプ２２１で発生した光をディスプレーユニット２１０側に光を案内しながら光の経路を変更する。
【００５２】
前記導光板２２４の上には、導光板２２４から出射されて液晶表示パネル２１２に向かう光の輝度を均一にするための複数個の光学シート２２６が具備されている。かつ、導光板２２４の下には導光板２２４から漏洩される光を導光板２２４に反射させて光の効率を高めるための反射板２２８が具備されている。前記デイスプレーユニット２１０とバックライトアセンブリ２２０は収納容器アセンブリであるモールドフレーム４００により固定支持される。
【００５３】
図７は図６に図示された本発明の第１実施形態による液晶表示装置の導光板とモールドフレームの構造をより具体的に示した分解斜視図である。図８は図７に図示された本発明の第１実施形態による導光板を示した側面図であり、図９は図８に図示された導光板の側方から見た斜視図であり、図１０は図７に示された第１実施形態による導光板をモールドフレームに収納した状態を示す図である。
【００５４】
図７を参照すれば、前記導光板２２４は前記ランプ２２１からの光が入射される側から遠ざかるほどその厚さが薄くなるくさび形状導光板である。しかし、本発明による第１実施形態は導光板２２４の両端部の厚さが同一な場合にも適用される。
【００５５】
前記導光板２２４の第１端部、即ち、前記モールドフレーム４００の収納空間で前記ランプ２２１が設けられる側に収納される第１端部の両角部は所定部分が切除され各々第３キャッチングジョー２２４ａと第４キャッチングジョー２２４ｂが形成される。そして、前記第３及び第４キャッチングジョー２２４ａ、２２４ｂの側壁から外側に延びて突出される第１及び第２プロジェクション（突出部）２２４ａ′、２２４ｂ′が形成される。この時、前記第１及び第２プロジェクション２２４ａ′、２２４ｂ′は前記第３及び第４キャッチングジョー２２４ａ、２２４ｂより薄い厚さを有するように形成される。
【００５６】
図８及び図９を参照すれば、前記第２プロジェクション２２４ｂ′の厚さ（ｔ１）は、前記第４キャッチングジョー２２４ｂの厚さ（ｔ２）より薄い。また、前記第１プロジェクション２２４ａ′の厚さは、前記第２プロジェクション２２４ｂ′の厚さ（ｔ１）と同一であり、前記第３キャッチングジョー２２４ａの厚さは前記第４キャッチングジョー２２４ｂと同一である。前記第１及び第２プロジェクション２２４ａ′、２２４ｂ′の厚さ（ｔ１）は前記第３及び第４キャッチングジョー２２４ａ、２２４ｂの厚さ（ｔ２）より薄くても十分である。
【００５７】
一方、再び図７を参照すれば、前記導光板２２４を収納する前記モールドフレーム４００の収納空間の一側には、前記ランプ２２１及びランプカバー２２２が収納される。前記ランプ２２１が定置された側壁の両角部には前記導光板２２４の第３及び第４キャッチングジョー２２４ａ、２２４ｂと各々かみ合って前記導光板２２４の水平方向の移動を防止するための第３及び第４キャッチング突起４０２、４０４が前記モールドフレーム４００と一体で形成される。
【００５８】
また、前記第３及び第４キャッチング突起４０２、４０４と対向する側壁の両角部には、前記モールドフレーム４００に収納された導光板２２４が前記収納空間の垂直方向に離脱されることを防止するための第３及び第４キャッチングカバー４０６、４０８が前記モールドフレーム４００と一体に形成される。
【００５９】
図１０に図示されたように、前記導光板２２４が前記モールドフレーム４００の収納空間に収納されると、前記第３キャッチングジョー２２４ａと第３キャッチング突起４０２、前記第４キャッチングジョー２２４ｂと第４キャッチング突起４０４が互いに係合する。一方前記導光板２２４の第２端部の両角部の一部は、前記第３及び第４キャッチングカバー４０６、４０８の下側に挿入される。
【００６０】
図１１は図１０に図示された本発明の第１実施形態による導光板とモールドフレームの水平方向の固定構造を詳細に示した部分拡大平面図である。
【００６１】
図１１を参照すれば、前記第３キャッチングジョー２２４ａの側面と前記モールドフレーム４００の側壁との間のギャップは、前記導光板２２４の第２端部の側面と前記モールドフレーム４００との間のギャップより狭い。これは、前記第３キャッチングジョー２２４ａの側壁に前記導光板２２４と一体で第１プロジェクション２２４ａ′を一体に設けたためで、前記第１プロジェクション２２４ａ′は前記第２端部に向かうほどその幅が狭くなるように、緩慢なスロープを有した形状を有する。
【００６２】
即ち、前記導光板２２４の第３キャッチングジョー２２４ａの幅は、第１端から前記第２端部に進行するほど幅が狭くなる。このようなプロジェクションは前記第４キャッチングジョー２２４ｂにおいても同一に形成される。従って、前記第３及び第４キャッチングジョー２２４ａ、２２４ｂと前記第３及び第４キャッチング突起４０２、４０４との間のキャッチング量が前記第１及び第２プロジェクション２２４ａ′、２２４ｂ′の幅の分だけ増加する。
【００６３】
より詳細に説明すると、図１２に図示されたように、前記第１及び第２プロジェクション２２４ａ′、２２４ｂ′を前記第３及び第４キャッチングジョー２２４ａ、２２４ｂに一体に設ける前の状態において、前記導光板２２４の第３及び第４キャッチングジョー２２４ａ、２２４ｂの幅を各々示す“Ｗ３”と“Ｗ４”の値は同一である。この場合には、前記導光板２２４の前記第１端部と第２端部の幅が同一である。しかし、前記第３及び第４キャッチングジョー２２４ａ、２２４ｂの側壁に第１及び第２プロジェクション２２４ａ′、２２４ｂ′が一体に設けられた状態では、前記第１端部の幅（Ｗ１′）は前記第２端部の幅（Ｗ２）より前記第１及び第２プロジェクション２２４ａ′、２２４ｂ′の幅（Ｗ５、Ｗ６）の分だけ増加する。
【００６４】
従って、図１１に図示されたように、前記第３及び第４キャッチングジョー２２４ａ、２２４ｂと前記第３及び第４キャッチング突起４０２、４０４との間のキャッチング量が十分に確保され、前記導光板２２４が外部衝撃により前記ランプ２２１側に移動されることを確実に防止できる。また、前記第１及び第２プロジェクション２２４ａ′、２２４ｂ′は前記第２端部に向かうほど幅（Ｗ５、Ｗ６）が狭くなるスロープ形状で形成されるために、前記ランプ２２１から入射される光の光溜まり現象が発生しない。前記第１及び第２プロジェクション２２４ａ′、２２４ｂ′の取付けられた部分を除外しては、前記導光板２２４と前記モールドフレーム４００の側壁との間のギャップが十分に維持されるために、温度や湿度変化による前記導光板２２４の皺現象も防止できる。
【００６５】
一方、図１１に図示されたように、前記モールドフレーム４００の両側壁、即ち前記第１及び第２プロジェクション２２４ａ′、２２４ｂ′と対応する側壁には前記第１及び第２プロジェクション２２４ａ′、２２４ｂ′が収容されることができる第１及び第２収納溝４１０、４１２が各々形成される。
【００６６】
図１３及び図１４は図１１に図示された第１プロジェクション２２４ａ′及び第１収納溝４１０の結合状態を示した図面である。
【００６７】
図１３を参照すれば、前記第１収納溝４１０は前記第１プロジェクション２２４ａ′の厚さ（ｔ１）より大きく、前記第３キャッチングジョー２２４ａの厚さ（ｔ２）よりは小さい高さ（ｔ３）を有する。即ち、前記第１収納溝４１０は図１４に図示されたように、前記第１プロジェクション２２４ａ′が収納されるに十分な程度の深さで形成され、前記第３キャッチングジョー２２４ａにより前記第１プロジェクション２２４ａ′の収納深さが制御される。図面には図示されなかったが、前記第２プロジェクション２２４ｂ′に対応して形成される第２収納溝は前記第１収納溝４１０と同様な形状を有する。
【００６８】
図１０に図示されたように、前記第３及び第４キャッチングジョー２２４ａ、２２４ｂと前記第３及び第４キャッチング突起４０２、４０４とのキャッチング量が前記第１及び第２プロジェクション２２４ａ′、２２４ｂ′により十分に確保されるために、前記導光板２２４が前記モールドフレーム４００に収納された状態で前記モールドフレーム４００の一端部に収納されたランプ側に移動されることを防止することができる。
【００６９】
万一、前記導光板２２４を収納したモールドフレーム４００に対する外部衝撃が前記ランプ側にでなく、前記モールドフレーム４００の両側壁即ち、前記第１及び第２プロジェクション２２４ａ′、２２４ｂ′の側から加えられると、前記第１及び第２収納溝４１０、４１２は各々前記第３及び第４キャッチングジョー２２４ａ、２２４ｂと接するまで前記第１及び第２プロジェクション２２４ａ′、２２４ｂ′を収容する。
【００７０】
従って、前記第１及び第２プロジェクション２２４ａ′、２２４ｂ′が前記モールドフレーム４００と衝突して破損されることを防止することができる。
【００７１】
特に、前記第１及び第２収納溝４１０、４１２の入口が各々前記第３及び第４キャッチングジョー２２４ａ、２２４ｂと相接して前記第１及び第２プロジェクション２２４ａ′、２２４ｂ′の収納が留まる位置は、前記導光板２２４で上述したようなプロジェクションが形成されない側壁が前記モールドフレーム４００の側壁と相接する位置と同一である。換言すれば、前記導光板２２４の側壁と前記モールドフレーム４００の側壁が全体的に相接して前記導光板２２４の移動が止まることになる。
【００７２】
一方、図１５及び図１６を参照すれば、前記第１及び第２プロジェクション２２４ａ′、２２４ｂ′が各々前記第１及び第２収納溝４１０、４１２に所定の幅だけ収納されるように前記モールドフレーム４００及び導光板２２４を結合することもできる。
【００７３】
図示されたように、前記第１プロジェクション２２４ａ′の端部を前記第１収納溝４１０に挿入し、前記第２プロジェクション２２４ｂ′の端部を前記第２収納溝４１２に挿入すると、前記第３及び第４キャッチングジョー２２４ａ、２２４ｂにより前記導光板２２４の前記ランプ２２１側への移動が防止されることと同様に、前記導光板２２４が前記光学シート２２６側に飛出して前記モールドフレーム４００から離脱することを防止することができる。このとき、前記導光板２２４の前記光学シート２２６側への離脱防止は第３及び第４キャッチングカバー４０６、４０８と共に実施される。
【００７４】
図１６を参照すれば、前記第１プロジェクション２２４ａ′と隣接する領域、即ち前記第１キャッチングジョー２２４ａで前記第１キャッチング突起４０２とオーバーラップする領域は、導光板２２４より薄い厚さを有するように形成される。望ましくは、前記第１キャッチングジョー２２４ａで前記第１キャッチング突起４０２とオーバーラップする領域は前記第１プロジェクション２２４ａ′と同じ厚さを有する。
【００７５】
〈実施形態２〉
次に図１７乃至図２１を参照して本発明の第２実施形態による液晶表示装置を説明する。
【００７６】
図１７は、本発明の第２実施形態による液晶表示装置の分解斜視図である。
【００７７】
図１７を参照すれば、本発明の第２実施形態による液晶表示装置はバックライトアセンブリ２２０とバックカバー４００ａを除外しては、図６に図示された本発明の第１実施形態による液晶表示装置と同様な構成を有する。即ち、図１７に図示された本発明の第２実施形態による液晶表示装置は二つのランプを採用したモニター装置を図示する。本発明による第２実施形態の説明において、図６に図示された液晶表示装置と同様な機能を実施する構成要素に対しては同じ参照符号を併記し、その機能における別途の説明を省略する。
【００７８】
図１７に図示されたように、前記デイスプレーユニット２１０の下には、前記デイスプレーユニット２１０に均一な光を提供するためのバックライトアセンブリ２２０が設けられている。バックライトアセンブリ２２０は液晶表示モジュール２００の両側に互いに対向するように具備され光を発生させるための第１及び第２ランプ２２１ａ、２２１ｂを含み、前記第１及び第２ランプ２２１ａ、２２１ｂは各々第１及び第２ランプカバー２２２ａ、２２２ｂにより保護される。導光板２２４は前記デイスプレーユニット２１０の液晶パネル２１２に対応する大きさを有し、前記第１及び第２ランプ２２１ａ、２２１ｂから発生された光を前記デイスプレーユニット２１０側に案内しながら光の経路を変更する。導光板２２４は複数の導光板を密接させた形態を使用することもでき、単一の導光板を使用することもできる。
【００７９】
前記デイスプレーユニット２１０とバックライトアセンブリ２２０は収納容器アセンブリであるモールドフレーム４００により固定支持され、前記モールドフレーム４００の背面にはモニター装置から発生されるＥＭＩを遮断及び減少させるためのメタル材質のバックカバー４００ａが結合される。
【００８０】
図１８は図１７に図示された本発明の第２実施形態による導光板をモールドフレームに収納した状態を示した図面である。図１９は図１７に図示された本発明の第２実施形態による導光板の構造を示した平面図である。
【００８１】
図１８を参照すれば、前記導光板２２４の第１端部即ち、前記モールドフレーム４００の収納空間で前記第１ランプ２２１ａが設けられる側壁と向き合う第１端部の両角部は所定部分が切除され、第５キャッチングジョー２２４ａと第６キャッチングジョー２２４ｂが形成される。また、前記導光板２２４の第１端部と対向する第２端部、即ち、前記モールドフレーム４００の収納空間で前記第２ランプ２２１ｂが設けられる側壁と向き合う第２端部の両角部も所定部分切除され第７キャッチングジョー２２４ｃと第８キャッチングジョー２２４ｄが形成される。
【００８２】
第５及び第６キャッチングジョー２２４ａ、２２４ｂが形成された前記第１端部の全体幅（Ｗ１′）は前記第７及び第８キャッチングジョー２２４ｃ、２２４ｄが形成された前記第２端部の幅（Ｗ２′）と同一である。前記第５、第６、第７及び第８キャッチングジョー２２４ａ、２２４ｂ、２２４ｃ、２２４ｄの各々の側面には各々第３、第４、第５及び第６プロジェクション２２４ａ′、２２４ｂ′、２２４ｃ′、２２４ｄ′が一体で形成され、前記第１及び第２端部の全体的な幅は前記導光板２２４の中央部の幅（Ｗ７）より大きい。また、図面には図示されなかったが、上述した本発明の第１実施形態と同様に前記第３、第４、第５及び第６プロジェクション２２４ａ′、２２４ｂ′、２２４ｃ′、２２４ｄ′の厚さは前記第５、第６、第７及び第８キャッチングジョー２２４ａ、２２４ｂ、２２４ｃ、２２４ｄより小さい厚さを有する。これに関して、図１９及び図２０を参照してより詳細に説明する。
【００８３】
一方、前記導光板２２４を収納する前記モールドフレーム４００の収納空間で前記導光板２２４の第１端部と向き合う側には、前記第１ランプ２２１ａ及び第１ランプカバー２２２ａが収納され、前記第２端部と向き合う側には、前記第２ランプ２２１ｂ及び第２ランプカバー２２２ｂが収納される。前記第１ランプ２２１ａが定置された側壁の両角部には、前記導光板２２４の第５及び第６キャッチングジョー２２４ａ、２２４ｂと各々かみ合って、前記導光板２２４の前記第１ランプ２２１ａ方向への移動を防止するための第５及び第６キャッチング突起４０２、４０４が前記モールドフレーム４００と一体で形成される。また、前記第２ランプ２２１ｂが定置された側壁の両角部には、前記導光板２２４の第７及び第８キャッチングジョー２２４ｃ、２２４ｄと各々かみ合って、前記導光板２２４の第２ランプ２２１ｂ方向への移動を防止するための第７及び第８キャッチング突起４０６、４０８が前記モールドフレーム４００と一体で形成される。
【００８４】
図２０に図示されたように、前記導光板２２４が前記モールドフレーム４００の収納空間に収納されると、前記第５キャッチングジョー２２４ａと第５キャッチング突起４０２、前記第６キャッチングジョー２２４ｂと第６キャッチング突起４０４、前記第７キャッチングジョー２２４ｃと前記第７キャッチング突起４０６及び前記第８キャッチングジョー２２４ｄと前記第８キャッチング突起４０８が各々かみ合って、前記導光板２２４の水平方向の移動を防止する。
【００８５】
図２０を参照すれば、前記第５キャッチングジョー２２４ａの側面と前記モールドフレーム４００の側壁の間のギャップは、前記導光板２２４の中央部の側面と前記モールドフレーム４００との間のギャップより狭い。これは、前記第５キャッチングジョー２２４ａの側壁に前記導光板２２４と一体で第３プロジェクション２２４ａ′を一体に設けたためであり、前記第３プロジェクション２２４ａ′は前記導光板の中央部に向かうほどその幅（Ｗ５）が狭くなるように浅いなめらかなカーブのスロープ形状を有する。このような第３プロジェクション２２４ａ′は、前記導光板２２４の第６、第７及び第８キャッチングジョー２２４ｂ、２２４ｃ、２２４ｄにおいても、同様な形態を有するように形成される。従って、第５、第６、第７及び第８キャッチングジョー２２４ａ、２２４ｂ、２２４ｃ、２２４ｄと前記第５、第６、第７及び第８キャッチング突起４０２、４０４、４０６、４０８との間のキャッチング量は各々の第３、第４、第５及び第６プロジェクション２２４ａ′、２２４ｂ′、２２４ｃ′、２２４ｄ′の幅（Ｗ５、Ｗ６、Ｗ５′、Ｗ６′）の分だけ増加する。
【００８６】
より詳細に説明すると、図１９に図示されたように、前記第３、第４、第５及び第６プロジェクション２２４ａ′、２２４ｂ′、２２４ｃ′、２２４ｄ′を前記第５、第６、第７及び第８キャッチングジョー２２４ａ、２２４ｂ、２２４ｃ、２２４ｄに一体に設ける前には、前記導光板２２４の第５、第６、第７及び第８キャッチングジョー２２４ａ、２２４ｂ、２２４ｃ、２２４ｄの幅を各々示すＷ３、Ｗ４、Ｗ３′及びＷ４′の値は一般的なものと同一である。しかし、前記第５、第６、第７及び第８キャッチングジョー２２４ａ、２２４ｂ、２２４ｃ、２２４ｄの側壁に上述したような第３、第４、第５及び第６プロジェクション２２４ａ′、２２４ｂ′、２２４ｃ′、２２４ｄ′を各々一体に設けると、前記第１端部の幅（Ｗ１′）及び前記第１端部の幅（Ｗ２′）は各々の前記中央部の幅（Ｗ７）より二つのプロジェクション２２４ａ′、２２４ｂ′の幅（Ｗ５、Ｗ６）の分だけ増加する。従って、図１９に図示されたように、前記第５、第６、第７及び第８キャッチングジョー２２４ａ、２２４ｂ、２２４ｃ、２２４ｄと前記第５、第６、第７及び第８キャッチング突起４０２、４０４、４０６、４０８との間のキャッチング量が十分に確保され、前記導光板２２４が外部衝撃により前記第１ランプ２２１ａ又は第２ランプ２２１ｂ側に移動されることを確実に防止することができる。また、第３、第４、第５及び第６プロジェクション２２４ａ′、２２４ｂ′、２２４ｃ′、２２４ｄ′の各々は前記中央部に向かうほど幅（Ｗ５、Ｗ６、Ｗ５′、Ｗ６′）が狭くなるスロープ形態で形成されるために、前記第１及び第２ランプ２２１ａ、２２１ｂから入射される光の光溜まり現象が発生されない。
【００８７】
図２０は図１９に図示された導光板２２４の第１端部の断面構造を示した断面図である。
【００８８】
図２０に図示されたように、前記第３及び第４プロジェクション２２４ａ′、２２４ｂ′の厚さ（ｔ１）は第５及び第６キャッチングジョー２２４ａ、２２４ｂの厚さ（ｔ２）より薄く形成される。また、前記第５及び第６プロジェクション２２４ｃ′、２２４ｄ′も同様に前記第７及び第８キャッチングジョー２２４ｃ、２２４ｄより薄い厚さを有するように形成され、第３、第４、第５及び第６プロジェクション２２４ａ′、２２４ｂ′、２２４ｃ′、２２４ｄ′の厚さ（ｔ１）は互いに同一である。
【００８９】
図２１は図１８に図示されたモールドフレームの構造をより詳細に示した図面である。
【００９０】
図２１を参照すれば、前記モールドフレーム４００の両側壁、即ち第３、第４、第５及び第６プロジェクション２２４ａ′、２２４ｂ′、２２４ｃ′、２２４ｄ′と対応する側壁には、前記第３、第４、第５及び第６プロジェクション２２４ａ′、２２４ｂ′、２２４ｃ′、２２４ｄ′が収容されることができる第３乃至第６収納溝４１０、４１２、４１４、４１６が各々形成される。
【００９１】
上述した第１実施形態と同様に、前記第３乃至第６収納溝４１０、４１２、４１４、４１６は、前記第３、第４、第５及び第６プロジェクション２２４ａ′、２２４ｂ′、２２４ｃ′、２２４ｄ′の厚さ（ｔ１０より大きく、前記第５、第６、第７及び第８キャッチングジョー２２４ａ、２２４ｂ、２２４ｃ、２２４ｄの厚さ（ｔ２）よりは小さい厚さを有するように形成される。
【００９２】
即ち、前記第３乃至第６収納溝４１０、４１２、４１４、４１６は、前記第３、第４、第５及び第６プロジェクション２２４ａ′、２２４ｂ′、２２４ｃ′、２２４ｄ′が各々収納されるに十分な深さで形成され、前記第５、第６、第７及び第８キャッチングジョー２２４ａ、２２４ｂ、２２４ｃ、２２４ｄにより前記各プロジェクション２２４ａ′、２２４ｂ′、２２４ｃ′、２２４ｄ′の収納程度が規制される。
【００９３】
同様に、図２１に図示されたように、前記第５、第６、第７及び第８キャッチングジョー２２４ａ、２２４ｂ、２２４ｃ、２２４ｄと前記第５、第６、第７及び第８キャッチング突起４０２、４０４、４０６、４０８との間のキャッチング量が前記第３、第４、第５及び第６プロジェクション２２４ａ′、２２４ｂ′、２２４ｃ′、２２４ｄ′により十分に確保されるために、前記導光板２２４が前記モールドフレーム４００に収納された状態で前記モールドフレーム４００の一端部に収納されたランプ側に移動されることを防止できる。
【００９４】
万一、前記導光板２２４が前記モールドフレーム４００に収納された状態で、前記モールドフレーム４００に対する外部衝撃が前記モールドフレーム４００の両側壁即ち、前記第３、第４、第５及び第６プロジェクション２２４ａ′、２２４ｂ′、２２４ｃ′、２２４ｄ′の側方から加えられると、前記第３乃至第６収納溝４１０、４１２、４１４、４１６は、各々前記第３、第４、第５及び第６キャッチングジョー２２４ａ、２２４ｂ、２２４ｃ、２２４ｄと対面するまで、前記第３、第４、第５及び第６プロジェクション２２４ａ′、２２４ｂ′、２２４ｃ′、２２４ｄ′を収容する。
【００９５】
従って、前記第３、第４、第５及び第６プロジェクション２２４ａ′、２２４ｂ′、２２４ｃ′、２２４ｄ′が前記モールドフレーム４００と衝突して破損されることを防止できる。
【００９６】
一方、第３、第４、第５及び第６プロジェクション２２４ａ′、２２４ｂ′、２２４ｃ′、２２４ｄ′は、上述した第１実施形態の第１及び第２プロジェクション２２４ａ′、２２４ｂ′と同様に、各々の端部が前記第３乃至第６収納溝４１０、４１２、４１４、４１６に所定量収納された状態でモールドフレーム４００と結合されることができる。従って、前記導光板２２４が前記光学シート２２６側に飛出して前記モールドフレーム４００から離脱されることを防止できる。また、前記第３、第４、第５及び第６プロジェクション２２４ａ′、２２４ｂ′、２２４ｃ′、２２４ｄ′と隣接する領域、即ち、前記第５、第６、第７及び第８キャッチングジョー２２４ａ、２２４ｂ、２２４ｃ、２２４ｄで前記第５、第６、第７及び第８キャッチング突起４０２、４０４、４０６、４０８とオーバーラップする領域は、図１６で示した例と同様に前記導光板２２４より薄い厚さを有するように形成してもよい。ここで、望ましくは、前記第５、第６、第７及び第８キャッチングジョー２２４ａ、２２４ｂ、２２４ｃ、２２４ｄで前記第５、第６、第７及び第８キャッチング突起４０２、４０４、４０６、４０８とオーバーラップする領域は、各々前記第３、第４、第５及び第６プロジェクション２２４ａ′、２２４ｂ′、２２４ｃ′、２２４ｄ′と同じな厚さを有する。
【００９７】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９８】
【発明の効果】
上述したような液晶表示モジュール及び液晶表示装置によると、導光板の側面のうち、モールドフレームに設けられたランプと向き合う端部の両角部には、キャッチングジョーが形成され、このキャッチングジョーの側壁から外側に突出されスロープ形状のプロジェクションが形成される。また、前記モールドフレームの側壁で前記プロジェクションに対応する位置には前記プロジェクションを収容できる溝が形成され、これら溝の幅は前記プロジェクションの厚さより大きく、前記キャッチングジョーより小さい大きさを有する。
【００９９】
従って、前記モールドフレームのキャッチング突起と前記導光板のキャッチングジョーとのキャッチング量が大きく増加するので、前記液晶表示装置に外部衝撃が加えられても、前記導光板が前記ランプ側に移動されることを防止できる。また、前記外部衝撃が前記モールドフレームの側方向で加えられても前記プロジェクションが前記収納溝に収納されるために、前記プロジェクションやキャッチングジョーなどが損傷されることを防止できる。また、キャッチングジョーがスロープ形態で形成されるために、前記ランプから入射される光の光溜まり現象が発生されない。
【図面の簡単な説明】
【図１】  従来の液晶表示装置を概略的に示した分解斜視図である。
【図２】  図１に図示された導光板とモールドフレームの構造をより具体的に示した分解斜視図である。
【図３】  図２に図示された導光板をモールドフレームに収納した状態を示した図面である。
【図４】  図３に図示された導光板とモールドフレームの水平方向の固定構造を示した部分拡大図である。
【図５】  図３に図示された導光板の大きさを示した平面図である。
【図６】  本発明の第１実施形態による液晶表示装置の分解斜視図である。
【図７】  図６に図示された本発明の第１実施形態による液晶表示装置の導光板とモールドフレームの構造をより具体的に示した分解斜視図である。
【図８】  図７に図示された導光板の構造をより具体的に示した側面図である。
【図９】  図７に図示された導光板の構造をより具体的に示した部分切開斜視図である。
【図１０】  図７に図示された本発明の第１実施形態による導光板をモールドフレームに収納した状態を示した図である。
【図１１】  図１０に図示された導光板とモールドフレームの水平方法の固定構造を詳細に示した部分拡大図である。
【図１２】  図１０に図示された導光板の構造を詳細に示した平面図である。
【図１３】  図１１に図示された導光板のプロジェクションとモールドフレームの収納溝の結合状態を示した図である。
【図１４】  図１１に図示された導光板のプロジェクションとモールドフレームの収納溝の結合状態を示した図である。
【図１５】  図１１に図示された導光板のプロジェクションとモールドフレームの収納溝の異なる結合状態を示した図である。
【図１６】  図１１に図示された導光板のプロジェクションとモールドフレームの収納溝の異なる結合状態を示した図である。
【図１７】  本発明の第２実施形態による液晶表示装置の分解斜視図である。
【図１８】  図１７に図示された導光板をモールドフレームに収納した状態を示した図である。
【図１９】  図１１に図示された導光板の構造を詳細に示した平面図である。
【図２０】  図１９に図示された導光板の断面構造を示した断面図である。
【図２１】  図１８に図示された導光板とモールドフレームの結合構造をより詳細に示した平面図である。
【符号の説明】
２１０    デイスプレーユニット
２２０    バックライトアセンブリ
２２１    ランプ
２２２    ランプカバー
２２４、７２４  導光板
４００    モールドフレーム
４００ａ    バックカバー
【図１】
0004160300.tif 000002
【図２】
0004160300.tif 000003
【図３】
0004160300.tif 000004
【図４】
0004160300.tif 000005
【図５】
0004160300.tif 000006
【図６】
0004160300.tif 000007
【図７】
0004160300.tif 000008
【図８】
0004160300.tif 000009
【図９】
0004160300.tif 000010
【図１０】
0004160300.tif 000011
【図１１】
0004160300.tif 000012
【図１２】
0004160300.tif 000013
【図１３】
0004160300.tif 000014
【図１４】
0004160300.tif 000015
【図１５】
0004160300.tif 000016
【図１６】
0004160300.tif 000017
【図１７】
0004160300.tif 000018
【図１８】
0004160300.tif 000019
【図１９】
0004160300.tif 000020
【図２０】
0004160300.tif 000021
【図２１】
0004160300.tif 000022